(57)【要約】【課題】携帯用複合通信端末機におけるマルチメディア用画面の表示のための装置及び方法を提供し、表示装置上に既存の画面を維持すると共に、高画質の背景画面及びマルチメディア画面を重ねる装置及び方法を提供し、また、表示上に高画質の背景画面を表示する装置及び方法を提供する。【解決手段】移動端末における画面表示装置は、移動端末のサービス要求によって受信されるマルチメディア用の画像データまたは移動端末の表示サービスのために提供されるテキストデータ及び背景画面用の画像データを選択的に貯蔵する第１メモリと、テキストデータ及び背景画面用の画像データを貯蔵する第２メモリと、第１メモリ及び第２メモリからデータを読み出して表示装置に提供する画像出力処理部と、から構成される。【選択図】図２
2006184912.tif 000002
【特許請求の範囲】
【請求項１】
移動端末における画面表示装置であって、
第１データを貯蔵する第１メモリと、
第２データを貯蔵する第２メモリと、
前記第１データを出力するマルチメディアサービス処理部と、
前記マルチメディアサービス処理部から出力された第１データを前記第１メモリに提供するＭＵＸ１と、
前記第１データまたは第２データのうち少なくとも一つを出力し、所定の制御信号を出力して前記第１メモリまたは第２メモリから移動端末表示装置に表示する該当データを選択部に印加する端末制御部と、
前記端末制御部から出力される第１データを前記ＭＵＸ１に提供し、前記出力された第２データを前記第２メモリに提供するＭＵＸ２と、
前記所定の制御信号に基づいて前記１メモリまたは第２メモリから印加された該当データを前記移動端末表示装置に提供する選択部と、
前記選択部によって提供されたデータを表示する前記移動端末表示装置と、を含むことを特徴とするマルチメディア用画面表示装置。
【請求項２】
外部画像信号を出力し、これをＭＵＸ３に提供する映像モジュールと、
所定の制御に基づいて前記映像モジュールから提供された外部画像信号または前記選択部を通じて提供された該当データを選択的に前記移動端末表示装置に出力する前記ＭＵＸ３と、をさらに含むことを特徴とする請求項１記載のマルチメディア用画面表示装置。
【請求項３】
前記第２データは、前記第１データより低い解像度のデータであることを特徴とする請求項１記載のマルチメディア用画面表示装置。
【請求項４】
前記マルチメディアサービス処理部は、前記第１データのみを提供することを特徴とする請求項１記載のマルチメディア用画面表示装置。
【請求項５】
前記第１データは、前記移動端末のサービス要求によって受信されたマルチメディア用画像データ及び前記移動端末の表示サービスのために提供されるリアルカラー水準の解像度であるテキストデータ及び背景画面用画像データを含み、前記第２データは、前記移動端末の表示サービスのために提供されるテキストデータ及び背景画面用画像データを含むことを特徴とする請求項１記載のマルチメディア用画面表示装置。
【請求項６】
前記マルチメディアサービス処理部は、前記端末制御部から前記第１データが出力され、前記第１メモリに貯蔵されるとき、前記マルチメディアサービス処理部から出力される前記第１データが前記第１メモリに印加されないようにする信号を提供することを特徴とする請求項１記載のマルチメディア用画面表示装置。
【請求項７】
前記選択部は、所定の制御信号に基づいて前記１メモリから印加された該当データ及び前記第２メモリから印加された該当データを同時に移動端末表示装置に提供することを特徴とする請求項１記載のマルチメディア用画面表示装置。
【請求項８】
移動端末における画面表示方法であって、
移動端末のサービス要求によって第１データがマルチメディアサービス処理部を通じて提供されると、前記第１データを第１メモリに貯蔵する過程と、
前記移動端末表示サービスのために前記第１データまたは第２データが端末制御部を通じて提供されると、前記第１データを前記第１メモリに貯蔵し、前記第２データは第２メモリに貯蔵する過程と、
前記端末制御部の所定の制御によって前記第１メモリまたは第２メモリから該当データを読み出して前記移動端末表示部に出力する過程と、を含むことを特徴とするマルチメディア用画面表示方法。
【請求項９】
前記第１データを第１メモリに貯蔵する過程は、
前記第１データを提供するとき、前記第１データをＭＵＸ１に印加する過程と、
前記ＭＵＸ１に印加された前記第１データを前記第１メモリに出力する過程と、をさらに含むことを特徴とする請求項８記載のマルチメディア用画面表示方法。
【請求項１０】
前記第１データを前記第１メモリに貯蔵し、前記第２データは第２メモリに貯蔵する過程は、
前記第２データを提供するとき、前記第２データをＭＵＸ２に印加する過程と、
前記ＭＵＸ２に印加された前記第２データを前記第２メモリに貯蔵する過程と、
前記第１データを提供するとき、前記第１データを前記ＭＵＸ２を通じて前記ＭＵＸ１に印加させる過程と、
前記ＭＵＸ１に印加された前記第１データを前記第１メモリに貯蔵する過程を、さらに含むことを特徴とする請求項８記載のマルチメディア用画面表示方法。
【請求項１１】
前記第１メモリまたは第２メモリから該当データを読み出して前記移動端末表示部に出力する過程は、
前記第１メモリから該当データを読み出し、これを垂直伸長及び画像データフォーマットに変更して選択部に印加する段階と、
前記第２メモリから該当データを読み出し、これを前記選択部に印加する段階と、
第１選択信号により前記選択部に印加された前記該当データをＭＵＸ３に印加させる段階と、
第２選択信号により前記ＭＵＸ３に印加された前記該当データを前記移動端末表示部に出力する段階と、をさらに含むことを特徴とする請求項８記載のマルチメディア用画面表示方法。
【請求項１２】
所定の制御により映像モジュールから外部画像信号が出力されると、前記出力される前記外部画像信号を前記ＭＵＸ３に印加する段階と、
前記第２選択信号により前記ＭＵＸ３に印加された前記外部画像信号を前記移動端末表示部に出力する段階と、をさらに含むことを特徴とする請求項１１記載のマルチメディア用画面表示方法。
【請求項１３】
前記端末制御部の第１選択信号は、前記選択部に印加された前記第１メモリから読み出されたデータまたは前記第２メモリから読み出されたデータを選択して前記ＭＵＸ３に印加するか、前記第１メモリから読み出されたデータ及び前記第２メモリから読み出されたデータを同時に前記ＭＵＸ３に印加するための信号であることを特徴とする請求項１１記載のマルチメディア用画面表示方法。
【請求項１４】
前記端末制御部の第２選択信号は、前記ＭＵＸ３に印加された前記該当データまたは前記映像モジュールから出力された外部画像信号のうちいずれか一つを選択し、これを前記移動端末表示部に出力するための信号であることを特徴とする請求項１１または１２記載のマルチメディア用画面表示方法。
【請求項１５】
前記第２データは、前記第１データより低い解像度のデータであることを特徴とする請求項８記載のマルチメディア用画面表示方法。
【請求項１６】
前記第１データは、前記移動端末のサービス要求によって受信されたマルチメディア用画像データを含み、前記第２データは、前記移動端末の表示サービスのために提供されるテキストデータ及び背景画面用画像データを含むことを特徴とする請求項８記載のマルチメディア用画面表示方法。
【請求項１７】
前記第１データの解像度は、リアルカラー水準であることを特徴とする請求項１５記載のマルチメディア用画面表示方法。
【発明の詳細な説明】
【技術分野】
【０００１】
本発明は、移動端末に関し、特に、携帯用複合通信端末機を含む移動端末における画面表示のための装置及びその使用方法に関する。
【背景技術】
【０００２】
最近、情報化社会の急激な発達によって、単純に音声のみを伝送する既存の通信端末機の以外にも、多様な機能が追加される複合通信端末機の開発が要求されている。従って、マルチメディア時代の要求を満足させるために、画像送受信の機能及び音声送受信の機能が共に支援できる携帯用複合通信端末機が要求されている。
【０００３】
現在は、携帯用複合通信端末と言える少数の移動端末が存在するだけである。例えば、米国特許出願番号第０９／５４０，８３０号(２０００年３月３１日)の"音声及び画像送受信のための携帯用複合通信端末機及びその動作方法と通信システム"には、カメラ機能内蔵の携帯用複合通信端末機が開示されている。
【０００４】
さらに、米国特許出願番号第０９／４６７，２１０号(１９９９年１２月２２日)の"テレビジョンと携帯電話が一体化したテレビジョン携帯電話及びその制御方法"には、テレビジョン機能内蔵の携帯用複合通信端末機が開示されている。
【発明の開示】
【発明が解決しようとする課題】
【０００５】
前記のように、携帯用複合通信端末機は、既存の音声サービスだけでなく、動画像サービスを支援するようになるにつれて、消費者の注目を引くために、高画質の表示装置を必要としている。また、表示装置上に多様な画面が表示できる移動端末が要求される。
【０００６】
従って、本発明の目的は、携帯用複合通信端末機において、マルチメディア用の画面を表示する装置及び方法を提供することにある。本発明の他の目的は、表示装置上に既存の画面を維持すると共に、高画質の背景画面及びマルチメディア画面を重ねて表示する装置及び方法を提供することにある。本発明のまた他の目的は、表示装置上に高画質の背景画面を表示する装置及び方法を提供することにある。
【課題を解決するための手段】
【０００７】
前記の目的を達成するための本発明は、移動端末における画面表示装置を提供する。前記画面表示装置において、第１メモリは、前記移動端末のサービス要求によって受信されるマルチメディア用の画像データまたは前記移動端末表示サービスのために提供されるテキストデータ及び背景画面用の画像データを選択的に貯蔵する。第２メモリは、前記テキストデータ及び前記背景画面用の画像データを貯蔵する。画像出力処理部は、前記第１メモリ及び第２メモリからデータを読み出し、前記移動端末の表示装置に前記読み出されたデータを提供する。
【発明の効果】
【０００８】
前述したように、本発明による新規の移動移動端末は、既存の画面を維持すると共に、高画質の背景画面及びマルチメディア画面を前記ＬＣＤ上に重ねて表示することができる。また、前記移動端末は、前記ＬＣＤ上に高画質の背景画面を表示することができる。
【発明を実施するための最良の形態】
【０００９】
以下、本発明による好適な一実施形態を添付図面を参照しつつ詳細に説明する。下記説明において、本発明の要旨を明確にするために関連した公知機能または構成に対する具体的な説明は省略する。
【００１０】
図３は、本発明の実施形態による移動端末の構成を示す。前記移動端末は、マルチメディア処理部２、端末制御部４、画像処理部６、ＲＦ(Radio Frequency)部１２０、メモリ１３０、キー入力部１４０、表示部１５０、表示部駆動部１５１、音声スイッチ１６０、ＣＯＤＥＣ(Coder/Decoder)１６１、スイッチ１６２、及びイヤーマイクロホン(EAR-MIC)１６３から構成される。
【００１１】
端末制御部４は、前記移動端末の通話機能及び一般機能(電話番号管理、スケジューリング、音声ダイアリング、ベルモード選択、及び表示制御)などの移動端末の全般的な動作を制御する。メモリ１３０は、前記無線端末の多様な動作プログラム、電話番号データ、及びスケジュールデータを貯蔵する。ＲＦ部１２０は、上位変換(up-conversion)、下位変換(down-conversion)、フィルタリング、及び増幅を遂行し、無線信号を送受信する。キー入力部１４０は、複数の文字数字キーを備え、また、本発明の実施形態によってマルチメディアサービスのためのマウス装置及びタッチスクリーンを備える。表示部１５０は、表示部駆動部１５１の制御下で、ＴＦＴ ＬＣＤ(Thin Film Transistor Liquid Crystal Display)から構成され、文字情報、メニュ情報、停止画像、及び動画像などを表示する。ＣＯＤＥＣ１６１は、移動端末から受信された音声信号を復調し、マイクロホンＭＩＣから入力される音声信号を変調する。ＣＯＤＥＣ１６１は、ＤＳＰ(Digital Signal Processor)チップによって具現できる。スイッチ１６２は、ＣＯＤＥＣ１６１から出力される音声信号及び前記マイクロホンＭＩＣを通して使用者から入力される音声信号をスイッチングして、前記ＣＯＤＥＣ１６１、イヤーマイクロホン１６３、スピーカＳＰＫ、及び前記マイクロホンＭＩＣへの音声信号経路を形成するようにする。画像処理部６は、端末制御部４及びマルチメディアサービス処理部２から受信される文字情報、メニュ情報、停止画像、及び動画像をバッファリングし、前記バッファリングされたデータをＤ／Ａ(Digital-to-Analog)変換し、前記Ｄ／Ａ変換されたデータを表示部駆動部１５１に伝送する。前記マルチメディアサービス処理部２は、前記使用者のマルチメディアサービスの要求によって、該当サーバとアクセスし、音声及び画像データのためにデータ要求を前記サーバに伝送し、前記受信された音声及び画像データをリアルタイムでバッファリングする。前記マルチメディアサービス処理部２は、前記受信された画像データを前記画像処理部６に提供し、前記受信されたメニュ及び文字情報を前記端末制御部４に提供し、前記受信された音声データを前記ＣＯＤＥＣ１６１に提供する。
【００１２】
図１は、本発明の実施形態による移動端末における画面表示装置を示す。前記画面表示装置は、マルチメディアサービス処理部２、端末制御部４、画像処理部６、及びグラフィック表示装置７を含む。図１のマルチメディアサービス処理部２、端末制御部４、画像処理部６は、図３のマルチメディアサービス処理部２、端末制御部４、画像処理部６に対応され、図１のグラフィック表示装置７は、図３の表示部駆動部１５１及び表示部１５０に対応される。図２は、本発明の実施形態による移動端末における画面表示装置の構成を詳細に示す。特に、図２は、図１の画像処理部６の構成を詳細に示す。
【００１３】
図１を参照すると、前記端末制御部４は、通話機能及び一般機能(電話番号管理、スケジューリング、音声ダイアリング、ベルモード選択、及び表示制御)などの移動端末の全般的な動作を制御する。特に、本発明の実施形態において、前記端末制御部４は、表示されるテキストデータ及び背景画面データを前記画像処理部６を介して、前記グラフィック表示装置７に提供する。前記背景画面データは、パソコンからダウンロードされるか、または、他の移動端末から受信することができる。前記背景画面は、停止画像または動画像になる。例えば、前記背景画面には、使用者固有のイメージまたはアニメーションなどを含む。
【００１４】
前記マルチメディアサービス処理部２は、前記移動端末の使用者のマルチメディアサービス要求によって、該当サーバと接続し、音声及び画像データのためにデータ要求を前記サーバに伝送し、前記受信される音声及び画像データをリアルタイムでバッファリングする。前記マルチメディアサービス処理部２は、前記受信される画像データ(停止画像データ及び動画像データ：以下、マルチメディア用の画像データ(multimedia image data)と称する)を前記画像処理部６に提供し、前記受信されたメニュ及び文字情報を前記端末制御部４に提供し、前記受信された音声データを前記ＣＯＤＥＣ１６１(図３を参照)に提供する。
【００１５】
前記画像処理部６は、シャドウメモリ(shadow memory =第１メモリ)２６、ＯＳＤメモリ(On-Screen Display =第２メモリ)３２、及び画像出力処理部５０を含む。前記シャドウメモリ２６は、前記端末制御部４の制御によって、前記端末制御部４から提供されるテキストデータ及び背景画面用の画像データを貯蔵し、前記マルチメディアサービス処理部２の制御によって、前記マルチメディアサービス処理部２から提供されるマルチメディア用の画像データを貯蔵する。本発明の実施形態によって、前記シャドウメモリ２６は、６４Ｋｂｙｔｅの容量を有し、前記シャドウメモリ２６に貯蔵される各画面フレームは、１７６×１４４×１６(横画素数×縦画素数×画素当たりの解像度)のサイズを有する。前記ＯＳＤメモリ３２は、前記端末制御部４から提供されるテキストデータ及び背景画面用の画像データを貯蔵する。本発明の実施形態において、前記ＯＳＤメモリ３２は、６４Ｋｂｙｔｅの容量を有し、前記ＯＳＤメモリ３２に貯蔵される各画面フレームは、１７６×２１８×８(横画素数×縦画素数×画素当たりの解像度)のサイズを有する。
【００１６】
画像出力処理部５０は、前記シャドウメモリ２６及び前記ＯＳＤメモリ３２のうち、選択された１つからのデータを前記グラフィック表示装置７に提供する。図２を参照すると、前記画像処理部６は、前記シャドウメモリ２６及び前記ＯＳＤメモリ３２の以外にも、第１選択部(ＭＵＸ１)２０及び第２選択部(ＭＵＸ２)２２をさらに含む。図１の画像出力処理部５０は、タイミング発生部２４、垂直伸長部２８、ＹＵＶ−ＲＧＢ変換部(YUV-to-RGB converter)３０、選択部３４、Ｄ／Ａ変換部３６、バッファ３８、及び命令デコーダ及びレジスタ４０を含む。
【００１７】
本発明の実施形態では、前記端末制御部４のアドレスＡ０−Ａ１６、データＤ０−Ｄ１５、及び各種制御信号(/RAM_CS2、/RD、/LWR、/O_RESET、/O_SLEEP)を利用して、前記端末制御部４から提供されるテキストデータ及び背景画面用の画像データを前記ＯＳＤメモリ３２または前記シャドウメモリ２６に貯蔵する。前記テキストデータ及び前記背景画面用の画像データは、一般的に、前記ＯＳＤメモリ３２に貯蔵される。しかしながら、リアルカラー(real color)の水準で前記テキストデータ及び前記背景画面用の画像データを表示する必要がある場合、前記テキストデータ及び前記背景画面用の画像データは前記シャドウメモリ２６に貯蔵される。端末制御部４は、前記テキストデータ及び前記背景画面用の画像データを前記ＯＳＤメモリ３２または前記シャドウメモリ２６のいずれかに貯蔵するか否かを決定する。前記端末制御部４から出力された前記テキストデータ及び前記背景画面用の画像データは、前記ＯＳＤメモリ３２に貯蔵される時、前記第２選択部(ＭＵＸ２)２２を通して前記ＯＳＤメモリ３２に提供される。しかしながら、前記端末制御部４から出力される前記テキストデータ及び前記背景画面用の画像データが前記シャドウメモリ２６に貯蔵される時は、第２選択部(ＭＵＸ２)２２及び第１選択部(ＭＵＸ１)２０を通して前記シャドウメモリ２６に提供される。
【００１８】
第１選択部（ＭＵＸ１）２０及び第２選択部（ＭＵＸ２）２２に対する制御は、前記端末制御部４によって遂行される。前記第１選択部（ＭＵＸ１）２０は、前記端末制御部４の第１制御信号によって、前記マルチメディアサービス処理部２によって印加されるマルチメディア用の画像データまたは前記第２選択部（ＭＵＸ２）２２によって印加される前記端末制御部４からのテキストデータ及び背景画面用の画像データのいずれか１つを選択して前記シャドウメモリ２６に提供する。前記第２選択部（ＭＵＸ２）２２は、前記端末制御部４の第２制御信号によって、前記端末制御部４によって印加されるテキストデータ及び背景画面用の画像データを前記第１選択部（ＭＵＸ１）２０または前記ＯＳＤメモリ３２のいずれか一つに選択的に提供する。
【００１９】
前記シャドウメモリ２６から出力されて前記グラフィック表示装置７に提供されるデータは、２４ビットデータＤ０−Ｄ２３から構成されるので、リアルカラーの水準(高画質)で前記グラフィック表示装置７のＬＣＤ(Liquid Crystal Display)上に表示されることができる。前記ＯＳＤメモリ３２から出力されて前記グラフィック表示装置７に提供されるデータは、８ビットデータＤ０−Ｄ７から構成されるので、前記グラフィック表示装置７のＬＣＤ上に前記リアルカラーより低い水準(低画質)で表示される。
【００２０】
以下、前記端末制御部４と前記画像処理部６との間のインターフェース上のアドレスＡ０−Ａ１６、データＤ０−Ｄ１５、及び各種制御信号(/RAM_CS2、/RD、/LWR、/O_RESET、/O_SLEEP)に関してより具体的に説明する。前記アドレスＡ０−Ａ１６のうち、アドレスＡ０−Ａ１５は、前記シャドウメモリ２６及び前記ＯＳＤメモリ３２のアクセスのために使用され、アドレスＡ１６は、前記画像処理部６に関連したレジスタの読み出し／書き込みのために使用される。Ｄ０−Ｄ１５は、前記シャドウメモリ２６または前記ＯＳＤメモリ３２に書き込まれるデータを示す。／ＲＡＭ＿ＣＳ２は、前記ＯＳＤメモリ３２を選択するチップ選択信号である。／ＲＤは、前記画像処理部６からデータを読み出すために使用される読み出しイネーブル信号である。／ＬＷＲは、前記画像処理部６にデータを書き込むために使用される書き込みイネーブル信号である。／Ｏ＿ＲＥＳＥＴは、前記画像処理部６をリセットするために使用される信号である。／Ｏ＿ＳＬＥＥＰは、前記画像処理部６の動作モードをスリープモード(sleep mode)に変換するための信号である。
【００２１】
次に、前記マルチメディアサービス処理部２と前記画像処理部６との間のインターフェース上のデータＥＤ０−ＥＤ１５及び各種制御信号(/E_RAM_CS、/E_WR、/INT)に関して説明する。ＥＤ０−ＥＤ１５は、前記マルチメディアサービス処理部２から前記シャドウメモリ２６に提供される前記マルチメディア用の画像データである。／Ｅ＿ＲＡＭ＿ＣＳは、前記シャドウメモリ２６をチップ選択する信号である。／Ｅ＿ＷＲは、前記マルチメディアサービス処理部２からの前記画像データを前記画像処理部６の前記シャドウメモリ２６に書き込むために使用される書き込みイネーブル信号である。／ＩＮＴは、前記端末制御部４が前記シャドウメモリ２６に前記テキストデータ及び前記背景画面用の画像データを書き込む時、前記マルチメディアサービス処理部２から前記画像処理部６に前記マルチメディア用の画像データが書き込まれないようにする信号である。
【００２２】
前記命令デコーダ及びレジスタ４０は、前記端末制御部４から印加されるアドレスＭＡ０−ＭＡ１６及びデータＭＤ０−ＭＤ１５を受信することによって命令をデコードし、前記タイミング発生部２４に提供する。また、前記命令デコーダ及びレジスタ４０は、前記命令によって各レジスタのビット状態をセット及びリセットする。
【００２３】
前記タイミング発生部２４は、ＬＣＤ駆動部１２から提供されるＣＫＶ１、ＨＤ、及びＶＤ信号と、前記命令デコーダ及びレジスタ４０から提供される命令とによって、各種タイミング信号を発生する。前記ＬＣＤ駆動部１２から前記タイミング発生部２４に提供されるＣＫＶ１信号は、テレビジングモード(televising mode)がＮＴＳＣ(National Television System Committee)またはＰＡＬ(Phase Alternative Line)であるか否かを示すモード表示信号である。前記ＰＡＬモードである場合、偶数／奇数ラインを除去されなければならないので、前記ＣＫＶ１信号が前記タイミング発生部２４に提供されるべきである。前記ＬＣＤ駆動部１２から前記タイミング発生部２４に提供されるＨＤ及びＶＤ信号は、それぞれ水平同期信号及び垂直同期信号を示す。前記タイミング発生部２４は、前記シャドウメモリ２６にアドレス信号Ａ０−Ａ１４、読み出し信号ＲＤ、及びチップ選択信号ＣＳを提供し、前記ＯＳＤメモリ３２にアドレス信号Ａ０−Ａ１４、読み出し信号ＲＤ、及びチップ選択信号ＣＳを提供する。前記タイミング発生部２４は、色同期信号ＣＳＹＮＣを前記ＬＣＤ駆動部１２に提供し、選択信号／ＭＵＸ＿ＳＷを第３選択部(ＭＵＸ３)８に提供する。また、前記タイミング発生部２４は、選択部３４が入力信号のいずれか１つを選択することができるように、選択信号Ｓを選択部３４に提供する。
【００２４】
前記タイミング発生部２４の制御によって、前記シャドウメモリ２６に貯蔵された１６ビットの画像データＤ０−Ｄ１５(ＹＵＶ)は、垂直伸長部２８に提供される。前記１６ビットの画像データＤ０−Ｄ１５(ＹＵＶ)は、前記端末制御部４から提供されたテキストデータ及び背景画面用の画像データであるか、または、前記マルチメディアサービス処理部２から提供されたマルチメディア用の画像データである。前記垂直伸長部２８は、前記シャドウメモリ２６から出力される画像データ(または、テキストデータ)を、前記グラフィック表示装置７の縦横比に合うように垂直伸長して前記ＹＵＶ−ＲＧＢ変換部３０に提供する。本発明の実施形態において、前記垂直伸長部２８は、フレーム当たり１７６×１４４画素の画像データをフレーム当たり１７６×２１８画素の画像データに垂直伸長する。つまり、前記垂直伸長部２８は、垂直に１６ビットを２４ビットに伸長する。ＹＵＶ−ＲＧＢ変換部３０は、前記グラフィック表示装置によって処理できる画像データ(ＲＧＢ)が出力されるように、前記垂直伸長部２８から出力された画像データ(ＹＵＶ)に対してＹＵＶ→ＲＧＢフォーマット変換を遂行する。前記ＹＵＶ→ＲＧＢフォーマット変換は、下記の式のように遂行される。
Ｒ＝Ｙ＋１１／８(Ｖ−１２８)
Ｇ＝Ｙ−４５／６４(Ｖ−１２８)−４３／１２８(Ｕ−１２８)
Ｂ＝Ｙ＋１１１／６４(Ｕ−１２８)
【００２５】
前記ＹＵＶ−ＲＧＢ変換部３０から出力される画像データは、Ｄ０−Ｄ２３(ＲＧＢ)の２４ビットから構成される。従って、前記画像データは、前記グラフィック表示装置７のＬＣＤ上に１６,７７７,２１６(＝２24)カラー(リアルカラーの水準)で表示される。前記ＹＵＶ−ＲＧＢ変換部３０から出力される画像データＤ０−Ｄ２３(ＲＧＢ)は、前記選択部３４の一側の入力端に印加される。また、前記タイミング発生部２４の制御によって、前記ＯＳＤメモリ３２から読み出される８ビットの画像データＤ０−Ｄ７(ＲＧＢ)は、前記選択部３４の他側の入力端に印加される。
【００２６】
本発明の他の実施形態において、前記タイミング発生部２４は、前記シャドウメモリ２６からの画像データ(背景画面用の画像データ及びマルチメディア用の画像データ)及び前記ＯＳＤメモリ３２からのテキストデータを、前記ＬＣＤ上に重ねて表示することもできる。この場合、前記移動端末は、前記表示された既存の画面を維持すると共に、高画質の背景画面(または、マルチメディア用の画像)を重ねて前記ＬＣＤ上に表示することができる。また、前記タイミング発生部２４は、前記シャドウメモリ２６からの背景画面用の画像データのみをリアルカラーの水準で前記ＬＣＤ上に表示することもできる。
【００２７】
前記選択部３４は、前記ＹＵＶ−ＲＧＢ変換部３０から出力される画像データＤ０−Ｄ２３(ＲＧＢ)及び前記ＯＳＤメモリ２６から読み出される８ビットの画像データＤ０−Ｄ７(ＲＧＢ)を、前記タイミング発生部２４からの選択信号Ｓによって任意に選択してＤ／Ａ変換部３６に提供する。前記Ｄ／Ａ変換部３６は、前記入力された画像信号をアナログ画像信号Ｃ＿Ｒ、Ｃ＿Ｇ、Ｃ＿Ｂに変換し、前記第３選択部(ＭＵＸ３)８を通して前記グラフィック表示装置７の前記ＬＣＤ駆動部１２に印加する。前記第３選択部(ＭＵＸ３)８は、前記タイミング発生部２４から提供される選択信号／ＭＵＸ＿ＳＷに応答して、前記画像処理部６から出力される画像信号Ｃ＿Ｒ、Ｃ＿Ｇ、Ｃ＿Ｂ及びテレビジョンまたはカメラモジュール１０から出力される外部画像信号ＥＸＴ＿Ｒ、ＥＸＴ＿Ｇ、ＥＸＴ＿Ｂを任意に選択する。
【００２８】
前記バッファ３８は、前記第３選択部(ＭＵＸ３)８がディセイブル（disable）される時、前記ＬＣＤ駆動部１２に４ビットの画像信号Ｄ０−Ｄ３を提供するために使用される。
【００２９】
一方、前記本発明の詳細な説明では具体的な実施形態に挙げて説明してきたが、本発明の範囲内で様々な変形が可能であるということは勿論である。従って、本発明の範囲は前記実施形態によって限られるべきではなく、特許請求の範囲とそれに均等なものによって定められるべきである。
【図面の簡単な説明】
【００３０】
【図１】本発明の実施形態による移動端末における画面表示装置を示すブロック図である。
【図２】本発明の実施形態による移動端末における画面表示装置を詳細に示すブロック図である。
【図３】本発明の実施形態に適用される移動端末を示すブロック図である。
【符号の説明】
【００３１】
２  マルチメディアサービス処理部
４  端末制御部
６  画像処理部
７  グラフィック表示装置
８  第３選択部
１０  テレビジョンまたはカメラモジュール
１２  ＬＣＤ駆動部
２０  第１選択部
２２  第２選択部
２４  タイミング発生部
２６  シャドウメモリ
２８  垂直伸長部
３０  ＹＵＶ−ＲＧＢ変換部
３２  ＯＳＤメモリ
３４  選択部
３６  Ｄ／Ａ変換部
３８  バッファ
４０  命令デコーダ及びレジスタ
５０  画像出力処理部
１２０  ＲＦ部
１３０  メモリ
１４０  キー入力部
１５０  表示部
１５１  表示部駆動部
１６０  音声スイッチ
１６１  ＣＯＤＥＣ
１６２  スイッチ
１６３  イヤーマイクロホン
【図１】
2006184912.tif 000003
【図２】
2006184912.tif 000004
【図３】
2006184912.tif 000005